(57)【要約】【課題】フレーム部材の一部を収納ケースに転用可能として見栄えの低下や廃材の発生を抑制しつつ、低廉なコストで収納ケースの後付けを可能としたベッドを提供する。【解決手段】本発明の収納ケースを後付け可能なベッド１は、複数のフレーム部材（ヘッドフレーム２、フットフレーム３、２つのサイドフレーム４１、４２）を相互に締結して形成したベッドフレームを備え、ケース本体部及びケース本体部に対し出し入れ可能であって箱体及び前板からなる引き出し部を有する収納ケース７を後付け可能であり、少なくともひとつのフレーム部材（フットフレーム３）は、他のフレーム部材（２つのサイドフレーム４１、４２）との締結を後で解除して前板に転用可能であり、他のフレーム部材（２つのサイドフレーム４１、４２）にケース本体部を後から取り付け可能である。【選択図】図１
2014036784.tif 000002
【特許請求の範囲】
【請求項１】
複数のフレーム部材を相互に締結して形成したベッドフレームを備え、ケース本体部及び前記ケース本体部に対し出し入れ可能であって箱体及び前板からなる引き出し部を有する収納ケースを後付け可能であり、
少なくともひとつのフレーム部材は、他のフレーム部材との締結を後で解除して前記前板に転用可能であり、
前記他のフレーム部材に前記ケース本体部を後から取り付け可能である収納ケースを後付け可能なベッド。
【請求項２】
前記少なくともひとつのフレーム部材は、前記他のフレーム部材に締結される第1締結部、及び前記箱体に締結される第２締結部を有する請求項１に記載の収納ケースを後付け可能なベッド。
【請求項３】
前記少なくともひとつのフレーム部材は横長の矩形形状であり、前記矩形形状の短辺に近い端部に前記第1締結部が配置され、前記第1締結部よりも内側に前記第２締結部が配置されている請求項２に記載の収納ケースを後付け可能なベッド。
【請求項４】
前記ベッドフレームは、ヘッドフレームとフットフレームと２つのサイドフレームとで形成され、
前記フットフレームは、前記２つのサイドフレームとの締結を後で解除して前記前板に転用可能であり、
前記２つのサイドフレームに前記ケース本体部を後から取り付け可能である請求項１〜３のいずれか一項に記載の収納ケースを後付け可能なベッド。
【発明の詳細な説明】
【技術分野】
【０００１】
本発明は、使用を開始した後からでも収納ケースを取り付け可能なベッドに関する。
【背景技術】
【０００２】
ベッドを構成する部材の一部を交換できるようにして、修復や機能向上を容易とした技術が提案されている。例えば、特許文献１に開示されたベッドは、マットレスの周縁に沿わせる縁枠をベッド本体の外縁上面に着脱自在に設けたことを特徴としている。これにより、汚れたり煙草の焼け焦げ跡がついたりした縁枠だけを交換できる、とされている。
【０００３】
一方、ベッドフレームのマットレスの下側に収納ケースを設けて収納機能を付与した収納ケース付きベッドが普及している。収納ケース付きベッドでは、使用開始後に引き出し部の位置変更を行えるようにした技術例が有るが、一般的には収納ケース自体を後付けできる構造にはなっていない。
【先行技術文献】
【特許文献】
【０００４】
【特許文献１】特開平９−１４９８４１号公報
【発明の概要】
【発明が解決しようとする課題】
【０００５】
ところで、収納ケースが設けられていないベッドを使用していて、居住環境の変化などにより後で収納ケースを欲しくなる場合がある。例えば、子供部屋にベッドを設置している場合、子供の成長とともに子供部屋が手狭になり、後で収納ケースを欲しくなる場合が生じ得る。このような場合、一般的には収納ケースの後付けは困難であり、ベッド全体を買い替えることになってしまう。また、収納ケースの後付けができる場合であっても、フレーム部材の交換などの大掛かりな改修作業が必要になってコストがかさむとともに、見栄えが低下したり、廃材が発生したりして好ましくない。
【０００６】
本発明は上記背景技術の問題点に鑑みてなされたものであり、フレーム部材の一部を収納ケースに転用可能として見栄えの低下や廃材の発生を抑制しつつ、低廉なコストで収納ケースの後付けを可能としたベッドを提供することを解決すべき課題とする。
【課題を解決するための手段】
【０００７】
本発明の収納ケースを後付け可能なベッドは、複数のフレーム部材を相互に締結して形成したベッドフレームを備え、ケース本体部及び前記ケース本体部に対し出し入れ可能であって箱体及び前板からなる引き出し部を有する収納ケースを後付け可能であり、少なくともひとつのフレーム部材は、他のフレーム部材との締結を後で解除して前記前板に転用可能であり、前記他のフレーム部材に前記ケース本体部を後から取り付け可能である。
【０００８】
さらに、前記少なくともひとつのフレーム部材は、前記他のフレーム部材に締結される第1締結部、及び前記箱体に締結される第２締結部を有することが好ましい。
【０００９】
さらに、前記少なくともひとつのフレーム部材は横長の矩形形状であり、前記矩形形状の短辺に近い端部に前記第1締結部が配置され、前記第1締結部よりも内側に前記第２締結部が配置されていることが好ましい。
【００１０】
また、前記ベッドフレームは、ヘッドフレームとフットフレームと２つのサイドフレームとで形成され、前記フットフレームは、前記２つのサイドフレームとの締結を後で解除して前記前板に転用可能であり、前記２つのサイドフレームに前記ケース本体部を後から取り付け可能であるとしてもよい。
【発明の効果】
【００１１】
本発明の収納ケースを後付け可能なベッドでは、少なくともひとつのフレーム部材は、他のフレーム部材との締結を後で解除して引き出し部の前板に転用可能であり、他のフレーム部材にケース本体部を後から取り付け可能とされている。したがって、ベッドの使用開始後であっても、ケース本体部及び引き出し部からなる収納ケースを後付けできる。また、フレーム部材の一部を引き出し部の前板に転用するので、見栄えの低下が抑制されるとともに、廃材の発生が抑制されて部材コストが低減される。さらには、後付けの改修作業も軽減される。
【００１２】
さらに、少なくともひとつのフレーム部材が第1締結部及び第２締結部を有する態様では、当初は第1締結部により少なくともひとつのフレーム部材が他のフレーム部材に締結されてベッドフレームが形成される。これにより、ベッドフレームの構造的な強度が確保される。また、収納ケースを後付けしたときには、少なくともひとつのフレーム部材が引き出し部の前板に転用される。したがって、ベッドの周りの外観デザインの統一性が保たれて、見栄えの低下が抑制される。
【００１３】
さらに、少なくともひとつのフレーム部材が横長の矩形形状で、端部に第1締結部、その内側に第２締結部が配置された態様では、２つの締結部が別々の位置に設けられているので、収納ケースを後付けするときに締結部が損傷しているというリスクを解消できる。仮に、共通の締結部を用いると、少なくともひとつのフレーム部材と他のフレーム部材との締結を後で解除したときに締結部が損傷してしまい、収納ケースのケース本体を取り付けられなくなるリスクが生じる。
【００１４】
また、フットフレームを前板に転用可能な態様では、２つのサイドフレームにケース本体部を後から取り付けることができるので、ケース本体部がベッドフレームの矩形を維持する一助となり、構造的な強度を確保できる。
【図面の簡単な説明】
【００１５】
【図１】本発明の第１実施形態の収納ケースを後付け可能なベッドを説明する平面図であり、収納ケースを後付けした状態が示されている。
【図２】第１実施形態のベッドの側面図である。
【図３】第１実施形態のベッドをフット方向から見た図である。
【図４】サイドフレームとフットフレームとの間の締結構造を示す平面図である。
【図５】サイドフレームとフットフレームとの間の締結構造をフット方向からみた図である。
【図６】ケース本体部の平面図である。
【図７】ケース本体部の正面図である。
【図８】引き出し部を形成する箱体の平面図である。
【図９】引き出し部を形成する箱体の正面図である。
【図１０】引き出し部の平面図である。
【図１１】引き出し部の正面図である。
【図１２】フットフレームの前側板への取付方法を示す側面断面図である。
【図１３】本発明の第２実施形態のベッドを説明する平面図である。
【図１４】第２実施形態のベッドの側面図である。
【発明を実施するための形態】
【００１６】
本発明を実施するための第１実施形態を、図１〜図１２を参考にして説明する。図１は、本発明の第１実施形態の収納ケース７を後付け可能なベッド１を説明する平面図であり、収納ケース７を後付けした状態が示されている。図中に矢印Ａで示されるように、収納ケース７の引き出し部はフット方向に引き出されるようになっており、フット方向が収納ケース７の正面になる。また、図２は、第１実施形態のベッド１の側面図、図３は第１実施形態のベッド１をフット方向から見た図であり、収納ケース７が取り付けられていない当初の状態が示されている。
【００１７】
ベッド１は、ヘッドフレーム２、フットフレーム３、２つのサイドフレーム４１、４２、２枚のボトムボード５１、５２、及びマットレス６で構成されている。ヘッドフレーム２は、直立した矩形板状の部材である。２つのサイドフレーム４１、４２は、それぞれ横長の矩形板状の部材であり、互いに平行配置とされ、それぞれの一端４１１、４２１がヘッドフレーム２の一方の面に接している。フットフレーム３は、横長の矩形板状の部材であり、２つのサイドフレーム４１、４２の他端４１２、４２２に接して配置されている。
【００１８】
図３に示されるように、２つのサイドフレーム４１、４２の間隔Ｄは、ヘッドフレームの幅寸法Ｗよりも小とされている。したがって、ヘッドフレーム２の両端は、サイドフレーム４１、４２よりも側方に張り出している。一方、フットフレーム３の横長の幅Ｄは、２つのサイドフレーム４１、４２の間隔Ｄに略一致している。２つのサイドフレーム４１、４２及びフットフレーム３の高さ寸法Ｈは略一致し、ヘッドフレーム２だけは高く突出している。
【００１９】
ヘッドフレーム２、フットフレーム３、及び２つのサイドフレーム４１、４２は、図略の締結部材を用いて相互に締結されている。これにより、矩形のベッドフレームが形成されている。各フレーム２、３、４１、４２は木製とすることができ、他の材質を用いて形成してもよい。各フレーム２、３、４１、４２の外観は、美観性の高い共通フレームデザインで統一されており、見栄えが良好になっている。共通フレームデザインには、例えば、特定色のモノトーンや木目調デザインを採用でき、これに限定されない。
【００２０】
ボトムボードは、正方形に近い矩形のヘッド側ボトムボード５１及びフット側ボトムボード５２に二分割されている。ヘッド側ボトムボード５１の両側の端部には、端面に向かうにつれて上面高さが漸減する縁部材５３が付設されている。縁部材５３は、フット側ボトムボード５２の両側及びフット側の端部にも付設されている。ヘッド側ボトムボード５１及びフット側ボトムボード５２は、２つのサイドフレーム４１、４２上に架け渡されるように載置されて使用される。
【００２１】
ヘッド側ボトムボード５１及びフット側ボトムボード５２は、縁部材５３を含む幅寸法Ｗがヘッドフレームの幅寸法Ｗに略一致しており、サイドフレーム４１、４２よりも側方に張り出している。また、ヘッド側ボトムボード５１とフット側ボトムボード５２とを足し合わせた長さは、サイドフレーム４１、４２の長さよりも大とされている。ヘッド側ボトムボード５１のヘッド側はヘッドフレーム２に付き当たっており、フット側ボトムボード５２のフット側はフットフレーム３よりも張り出している。ヘッド側ボトムボード５１及びフット側ボトムボード５２の上面に、縁部材５３にかからない程度の大きさのマットレス６が載置されて使用される。
【００２２】
図４は、サイドフレーム４１、４２とフットフレーム３との間の締結構造を示す平面図であり、図５は、締結構造を示すフット方向からみた図である。収納ケース７を取り付けていない状態で、サイドフレーム４１、４２とフットフレーム３とは、締結金具９１及び締結ねじ９２を用いて相互に締結されている。
【００２３】
締結金具９１は、断面が直角に折れ曲がったＬ字状で、幅がフレームの高さＨよりも小さめの金属性板状の部材である。締結金具９１の直交する２つの面に、それぞれ２つの取付孔が穿設されている。締結金具９１は、サイドフレーム４１、４２とフットフレーム３とが接する直角の内側に配置される。締結金具９１の合計４つの取付孔にはそれぞれ締結ねじ９２が挿入される。２本の締結ねじ９２はサイドフレーム４１、４２に向けて締め付けられ、他の２本の締結ねじ９２はフットフレーム３に向けて締め付けられる。これにより、サイドフレーム４１、４２とフットフレーム３とが直角を成して締結される。
【００２４】
ここで、締結ねじ９２がサイドフレーム４１、４２やフットフレーム３を貫通せず、かつ締結力を確保できるように、締結ねじ９２の適正な長さ及び太さが設定されている。締結ねじ９２の締め付けを容易にするために、サイドフレーム４１、４２及びフットフレーム３に予め、板厚の途中までの下穴を設けておいてもよい。フットフレーム３の締結ねじ９２が締め込まれる部分は、本発明の第１締結部に相当する。
【００２５】
次に、後付け可能な収納ケース７の構造について説明する。収納ケース７は、ケース本体部７１及び引き出し部７５からなっている。図６は、ケース本体部７１の平面図であり、図７は、ケース本体部７１の正面図である。ケース本体部７１は、底板７１１、２枚の側板７１２、７１３、２枚の天板７１４、７１５、及び２つの取付部７１６、７１７で形成されている。
【００２６】
詳述すると、矩形の底板７１１の短辺上にそれぞれ矩形の側板７１２、７１３が立設されている。２つの側板７１２、７１３の上面の前側同士及び後側同士を橋絡するように、それぞれ細長い矩形の天板７１４、７１５が架け渡されている。また、２枚の側板７１２、７１３の前方寄りから側方外向きに突出するように、それぞれ取付部７１６、７１７が一体的に設けられている。各取付部７１６、７１７は、締結金具９１の取付孔の位置に対応する２個の共締孔７１８を有している。
【００２７】
一方、引き出し部７５は、箱体７６及び前板が一体化されて形成される。図８は、引き出し部７５を形成する箱体７６の平面図であり、図９は、箱体７６の正面図である。箱体７６は、５枚の矩形板すなわち底板７６１、２枚の側板７６２、７６３、前側板７６４、及び後側板７６５で形成されており、上方に開口する浅い箱形状になっている。前側板７６４の幅方向の中央及び左右端寄りの上下にそれぞれ、合計で６個の取付孔７７が貫設されている。さらに、前側板７６４の内面側には、各取付孔７７の周りを切欠いた下穴７８が形成されている。そして、前板にはフットフレーム３が転用される。
【００２８】
図１０は、引き出し部７５の平面図であり、図１１は、引き出し部７５の正面図である。図示されるように、引き出し部７５は、箱体７６の前側板７６４にフットフレーム３が一体的に取り付けられて形成される。図１２は、フットフレーム３の前側板７６４への取付方法を示す側面断面図である。図示されるように、前側板７６４の内面側の下穴７８から挿入された取付ねじ９５は、取付孔７７を通り抜けてフットフレーム３に達し、締め付けられる。これにより、フットフレーム３が前側板７６４の外面に取り付けられ、前板に転用される。
【００２９】
ここで、取付ねじ９５がフットフレーム３を貫通しないように、かつ締結力を確保できるように、取付ねじ９５の適正な長さ及び太さが設定されている。取付ねじ９５の締め付けを容易にするために、フットフレーム３に予め板厚の途中までの下穴を設けておいてもよい。フットフレーム３の取付ねじ９５が締め込まれる部分は、本発明の第２締結部に相当する。第２締結部の位置は、サイドフレーム４１、４２に締結される前述の第１締結部よりも中央寄りの内側とされている。
【００３０】
次に、第1実施形態のベッド１で、収納ケース７を後付けするときの改修作業手順について説明する。ベッド１の使用開始後に収納ケース７を後付けするとき、まず、図４及び図５に示されているフットフレーム３とサイドフレーム４１、４２との締結を解除する。このとき、締結金具９１とフットフレーム３との間の締結だけを解除して、フットフレーム３を取り外し、締結金具９１はサイドフレーム４１、４２に残しておく。
【００３１】
次に、図１に示されるように、収納ケース７のケース本体部７１の取付部７１６、７１７、締結金具９１、及び添板９３の三者を締結ねじで共締めする。これにより、ケース本体部７１の後付けが終了する。一方で、図１０及び図１１に示されるように、フットフレーム３を箱体７６に取り付けて前板に転用する。これにより、引き出し部７５を形成できる。以上の改修作業により、収納ケース７の後付けが完了する。
【００３２】
第１実施形態の収納ケース７を後付け可能なベッド１では、フットフレーム３は、サイドフレーム４１、４２との締結を後で解除して引き出し部７５の前板に転用可能であり、２つのサイドフレーム４１、４２にケース本体部７１を後から取り付けることができる。したがって、ベッド１の使用開始後であっても、ケース本体部７１及び引き出し部７５からなる収納ケース７を後付けできる。
【００３３】
加えて、フットフレーム３を引き出し部７５の前板に転用するので、ベッド１の周りの共通フレームデザインの統一性が保たれて、見栄えの低下が抑制される。仮に、フットフレーム３を転用せずに引き出し部７５の全部を新設すると、前板に共通フレームデザインを指定しても製造時期の違いなどに起因してヘッドフレーム２やサイドフレーム４１、４２と微妙に色調が異なり、見栄えの低下するおそれが生じる。あるいは、長年の使用によって風合いを帯びたヘッドフレーム２及びサイドフレーム４１、４２と、真新しい前板との間で違和感が生じて、見栄えの低下するおそれが生じる。
【００３４】
また、廃材の発生が抑制されて環境保護に好ましく、かつ前板の分だけ収納ケース７のコストが低減される。さらには、後付けの改修作業も軽減され、ベッドの使用者自身で改修作業を行うことも可能になる。
【００３５】
また、フットフレーム３の第1締結部及び第２締結部が別々の位置に設けられているので、締結部が損傷して収納ケース７を後付けできなくなるというリスクを解消できる。仮に、サイドフレーム４１、４２に締結するための締結ねじ９２と、箱体７６に取り付けるための取付ねじ９５とをフットフレーム３の同じ位置に締め付けるように構成すると、締結ねじ９２を外したときに損傷が発生して後から取付ねじ９５を締め付けられなくなるリスクが生じる。
【００３６】
さらに、２つのサイドフレーム４１、４２の間にケース本体部７１が取り付けられるので、ケース本体部７１がベッドフレームの矩形を維持する一助となり、構造的な強度を確保できる。
【００３７】
次に、第２実施形態のベッド１Ａについて、図１３及び図１４を参考にして、第１実施形態と異なる点を主に説明する。第２実施形態では、ベッド１Ａの本体の形状が第１実施形態と異なる。図１３は、本発明の第２実施形態のベッド１Ａを説明する平面図である。また、図１４は、第２実施形態のベッド１Ａの側面図である。図１３及び図１４では、当初は不付きであった収納ケース７を後付けした状態が示されている。
【００３８】
第２実施形態のベッド１Ａは、ヘッドフレーム２、フットフレーム３、２つのサイドフレーム４５、４６、２枚のボトムボード５５、５６、及びマットレス６で構成されている。第２実施形態において、２つのサイドフレーム４５、４６は、内側の上部が切り欠かれて、矩形断面状の桟部４７が形成されている。ヘッド側ボトムボード５５及びフット側ボトムボード５６は、２つのサイドフレーム４５、４６の桟部４７の間に架け渡されるように載置され、側方へ移動しないようになっている。また、ヘッド側ボトムボード５５及びフット側ボトムボード５６は、ヘッドフレーム２とフットフレーム３との間に挟み込まれて、ヘッド方向及びフット方向にも移動しないようになっている。
【００３９】
第２実施形態においても、第１実施形態と同様の構造のフットフレーム３及び収納ケース７を用いることができ、収納ケース７を後付け可能として、同様の効果を得ることができる。
【００４０】
なお、フットフレーム３の箱体７６への取付方法や、ケース本体部７１のサイドフレーム４１、４２への取付方法は、第１実施形態で説明した方法に限定されず、公知の他の方法を用いてもよい。また、収納ケース７は、必ずしも使用開始後の取り付け用途に限定されるものではない。例えば、収納ケース７は、使用者自身で組み立てる方式（ＤＩＹ方式）のベッドのオプション部品とすることができる。本発明は、その他にも様々な応用や変形が可能である。
【符号の説明】
【００４１】
１、１Ａ：収納ケースを後付け可能なベッド
２：ヘッドフレーム    ３：フットフレーム
４１、４２、４５、４６：サイドフレーム
５１、５５：ヘッド側ボトムボード
５２、５６：フット側ボトムボード    ５３：縁部材
６：マットレス
７：収納ケース    ７１：ケース本体部    ７１６、７１７取付部
７５：引き出し部    ７６：箱体
９１：締結金具    ９２：締結ねじ    ９５：取付ねじ
【図１】
2014036784.tif 000003
【図２】
2014036784.tif 000004
【図３】
2014036784.tif 000005
【図４】
2014036784.tif 000006
【図５】
2014036784.tif 000007
【図６】
2014036784.tif 000008
【図７】
2014036784.tif 000009
【図８】
2014036784.tif 000010
【図９】
2014036784.tif 000011
【図１０】
2014036784.tif 000012
【図１１】
2014036784.tif 000013
【図１２】
2014036784.tif 000014
【図１３】
2014036784.tif 000015
【図１４】
2014036784.tif 000016